(57)【要約】本発明はポンプ本体軸スリーブ、噴射軸、ハウジングおよび密封装置を含むシングルチューブダブルチャンバー噴射ポンプを提供する。ハウジングの一端には円筒孔が設けられており、ポンプ本体軸スリーブは円筒孔内に設けられており、噴射軸はポンプ本体軸スリーブ内に設けられており、噴射軸の外側壁には二つの細長い凹溝が開設されており、二つの凹溝の一端はいずれも封止されており、他端はいずれも開放されており、それぞれ噴射軸の両端と端面が同じ面に位置しており、噴射軸の外壁はポンプ本体軸スリーブの内壁に密着されており、ポンプ本体軸スリーブにはそれぞれ二つの凹溝と連通する媒体の入口端および媒体の出口端が開設されており、ハウジングにはポンプ本体軸スリーブの媒体の入口端、媒体の出口端と連通する入口および出口が設けられており、ポンプ本体軸スリーブの一端は密封装置（６）に密封接続されており、噴射軸の一つの端面、ポンプ本体軸スリーブの内側壁および密封装置は媒体チャンバーＡを構成しており、噴射軸の他の一つの端面、ポンプ本体軸スリーブの内側壁およびハウジングの円筒孔の端面は媒体チャンバーＢを構成しており、噴射軸はポンプ本体軸スリーブ内で軸方向に沿って前後移動または回転可能である。本発明は二種類の異なる駆動方式の噴射ポンプ機構およびその操作方法をさらに提供しており、媒体の持続的な吸い込みおよびポンピングを実現することができる。【選択図】図１
2019504235.tif 000002
【特許請求の範囲】
【請求項１】
ポンプ本体軸スリーブ、噴射軸、ハウジングおよび密封装置を含み、
ポンプ本体軸スリーブには軸スリーブ媒体の入口端および軸スリーブ媒体の出口端が開設されており、
噴射軸の外側壁には二つの細長い凹溝が開設されており、二つの凹溝の一端はいずれも封止されており、他端はいずれも開放されており、かつ開放端はそれぞれ噴射軸の両端と端面が同じ面に位置しており、
噴射軸はポンプ本体軸スリーブ内に設けられており、ポンプ本体軸スリーブの一端は密封装置に密封接続されており、
噴射軸の一つの端面、ポンプ本体軸スリーブの内側壁および密封装置は第１チャンバーを構成しており、噴射軸の他の一つの端面、ポンプ本体軸スリーブの内側壁およびハウジングにおける円筒孔の内部底面は第２チャンバーを構成しており、噴射軸の外円はポンプ本体軸スリーブの内円に密着されており、よって第１チャンバーと第２チャンバーとを仕切っており、
噴射軸はポンプ本体軸スリーブ内で軸方向に沿って前後移動可能であることによって二つのチャンバーの容積を変えている、
ことを特徴とするシングルチューブダブルチャンバー噴射ポンプ。
【請求項２】
前記ポンプ本体軸スリーブにおける軸スリーブ媒体の入口端および軸スリーブ媒体の出口端はポンプ本体軸スリーブの中央部に設けられており、軸スリーブ媒体の入口端および軸スリーブ媒体の出口端は対称となるように設置されている、ことを特徴とする請求項１に記載のシングルチューブダブルチャンバー噴射ポンプ。
【請求項３】
前記噴射軸における二つの凹溝は噴射軸の中軸の中心をもって中心対称されている、ことを特徴とする請求項１に記載のシングルチューブダブルチャンバー噴射ポンプ。
【請求項４】
前記噴射軸にはスクリューを接続するための貫通孔が設けられており、スクリューの一端は貫通孔および密封装置を貫通しており、スクリューは噴射軸の内側壁に緊密に接続されており、密封装置に密封接続されている、ことを特徴とする請求項１〜３のいずれか一項に記載のシングルチューブダブルチャンバー噴射ポンプ。
【請求項５】
前記ハウジングはポンプ本体軸スリーブの外部に設けられており、ハウジングには軸スリーブ媒体の入口端、軸スリーブ媒体の出口端とそれぞれ連通する入口および出口が設けられており、ハウジング内には媒体の入口貫通溝および媒体の出口貫通溝が設けられており、軸スリーブ媒体の入口端、軸スリーブ媒体の出口端とそれぞれ連通しており、ハウジングの円筒孔の内壁はポンプ本体軸スリーブの外壁により密閉されている、ことを特徴とする請求項４に記載のシングルチューブダブルチャンバー噴射ポンプ。
【請求項６】
前記密封装置内にはシールリングが設けられており、シールリングはスクリューに緊密に接続されており、密封装置とハウジングとは締結部材により密着するように接続されている、ことを特徴とする請求項５に記載のシングルチューブダブルチャンバー噴射ポンプ。
【請求項７】
前記密封装置には媒体オーバーフロー孔が対称となるように設けられている、ことを特徴とする請求項６に記載のシングルチューブダブルチャンバー噴射ポンプ。
【請求項８】
前記ポンプ本体軸スリーブおよび噴射軸の材質はセラミックである、ことを特徴とする請求項１に記載のシングルチューブダブルチャンバー噴射ポンプ。
【請求項９】
前記ハウジングおよび密封装置の材質は金属である、ことを特徴とする請求項１に記載のシングルチューブダブルチャンバー噴射ポンプ。
【請求項１０】
（１）シングルチューブダブルチャンバー噴射ポンプのハウジングにおける入口および出口がいずれも外付けの媒体入力装置および媒体出力装置に密封接続され、噴射軸の二つの凹溝は軸スリーブ媒体の入口端および軸スリーブ媒体の出口端にそれぞれ面するステップと、
（２）スクリューにより噴射軸を付勢し、軸スリーブ媒体の出口端と一側の凹溝を介して連通するチャンバーの容積を小さくし、チャンバー内の媒体は凹溝を介してポンピングされるとともに、軸スリーブ媒体の入口端と他の一側の凹溝を介して連通するチャンバーの容積が大きくなり、媒体は該側の凹溝を介してチャンバーに吸い込まれるステップと、
（３）スクリューが噴射軸を密封装置の端面まで移動するように付勢した場合、スクリューを回転させることにより噴射軸を１８０°回転させ、噴射軸の両側の凹溝位置を交換させ、元の軸スリーブ媒体の入口端と連通する一側の凹溝は軸スリーブ媒体の出口端と連通するようになり、この際、該凹溝と連通するチャンバー内には媒体が充填されると同時に、元のポンプ本体軸スリーブ媒体の出口端と連通する他の一側の凹溝は軸スリーブ媒体の入口端と連通するようになり、該凹溝と連通するチャンバーは既に全ての媒体が排出されているステップと、
（４）スクリューおよび噴射軸を逆方向に駆動し、両側の媒体チャンバーの容積を変え、一側の媒体チャンバーに継続して媒体をポンピングさせると同時に、他の一側の媒体チャンバーにより媒体を吸い込ませ、このように繰り返すステップと、
を含む、ことを特徴とする請求項１〜９のいずれか一項に記載のシングルチューブダブルチャンバー噴射ポンプの使用方法。
【請求項１１】
シングルチューブダブルチャンバー噴射ポンプ、スクリューモータ、クラッチ装置、検知装置および制御装置を含み、
前記シングルチューブダブルチャンバー噴射ポンプは、ポンプ本体軸スリーブ、噴射軸、ハウジングおよび密封装置を含み、
ポンプ本体軸スリーブには軸スリーブ媒体の入口端および軸スリーブ媒体の出口端が開設されており、噴射軸の外側壁には二つの細長い凹溝が開設されており、二つの凹溝の一端はいずれも封止されており、他端はいずれも開放されており、かつ開放端はそれぞれ噴射軸の両端と端面が同じ面に位置しており、
噴射軸はポンプ本体軸スリーブ内に設けられており、ポンプ本体軸スリーブの一端は密封装置に密封接続されており、
噴射軸の一つの端面、ポンプ本体軸スリーブの内側壁および密封装置は第１チャンバーを構成しており、噴射軸の他の一つの端面、ポンプ本体軸スリーブの内側壁およびハウジングにおける円筒孔の内部底面は第２チャンバーを構成しており、噴射軸の外円はポンプ本体軸スリーブの内円に密着されており、よって第１チャンバーと第２チャンバーとを仕切っており、
噴射軸はポンプ本体軸スリーブ内で軸方向に沿って前後移動可能であり、それにより二つのチャンバーの容積を変えており、
スクリューモータはスクリューにより両側においてシングルチューブダブルチャンバー噴射ポンプおよびクラッチ装置にそれぞれ接続されており、クラッチ装置はクラッチディスクおよびクラッチディスクの両側に対向するように設置された第１電磁クラッチ部材、第２電磁クラッチ部材を含み、二つの電磁クラッチ部材はそれぞれケーブルを介して制御装置に接続されており、電磁クラッチ部材は通電された後にクラッチディスクを吸着することができ、二つの電磁クラッチ部材はクラッチブラケットにより装着されるように固定されており、かつスクリューモータに固着されており、
スクリューモータに近接する一側の第１電磁クラッチ部材の中心には回転子が設けられており、回転子とスクリューモータの回転子は装着されるように接続されて回転対偶を形成しており、モータ回転子が回転する際に電磁クラッチ部材における回転子と連動して同期回転しており、
検知装置はスクリューセンサおよびステアリングセンサを含み、二つのセンサはそれぞれケーブルを介して制御装置に接続されており、かつ信号を伝送しており、スクリューセンサは第２電磁クラッチ部材の外側のクラッチブラケットに設けられており、スクリューの位置信号をトリガしており、
ステアリングセンサはクラッチディスクの下方のクラッチブラケットに設けられており、スクリューの中央部は片側フラットワイヤ状を呈しており、クラッチディスクの層間に挿入されたセンサ遮蔽シートの直線底辺はスクリューのフラットワイヤ状平面にマッチしており、クラッチディスクおよびスクリューに回転対偶を構成させており、クラッチディスクがスクリューを回って回転する際にスクリューを同期して回転移動するように駆動しており、センサ遮蔽シートはステアリングセンサに嵌合され回転位置信号をトリガしている、
ことを特徴とするシングルチューブダブルチャンバー噴射ポンプ機構。
【請求項１２】
前記センサ遮蔽シートは半円形であり、その半径はクラッチディスクの半径よりも大きく、クラッチディスクの外径より突出した部分はステアリングセンサを遮蔽することで信号をトリガすることができる、ことを特徴とする請求項１１に記載の噴射ポンプ機構。
【請求項１３】
前記センサ遮蔽シートの径方向における底辺はそれぞれクラッチディスクの外径の両側に設置されており、ステアリングセンサ二２つの信号トリガーポイントとなり、二つの信号トリガーポイントは互いに１８０°離れた回転角の関係を呈している、ことを特徴とする請求項１２に記載の噴射ポンプ機構。
【請求項１４】
（１）シングルチューブダブルチャンバー噴射ポンプのハウジングにおける入口および出口はいずれも外付けの媒体入力装置および媒体出力装置に密封接続されるステップと、
（２）制御装置はクラッチ装置、スクリューモータおよび検知装置を制御して、噴射ポンプをリセット方向に配置し、リセット方向は、第１チャンバーが噴射軸の一側の凹溝を介してポンプ本体軸スリーブの媒体の出口端と連通し、同時に第２チャンバーが噴射軸の他の一側の凹溝を介してポンプ本体軸スリーブの媒体の入口端と連通し、噴射軸の二つの凹溝はそれぞれポンプ本体軸スリーブの媒体の入口端および媒体の出口端に面するステップと、
（３）コントローラはクラッチ装置によりスクリューの軸方向における回転自由度をロックし、かつスクリューモータによりスクリューおよび噴射軸をスクリューモータの方向へ移動するように駆動し、第１チャンバーの容積が小さくなり、チャンバー内の媒体は噴射軸の凹溝を介してポンピングされ、同時に第２チャンバーの容積が大きくなり、媒体は該側の噴射軸の凹溝を介してチャンバーに吸い込まれるステップと、
（４）スクリューモータにより噴射軸を移動して密封装置の端面に接近するように駆動する場合、スクリューの末端はスクリューセンサをトリガし、制御装置はクラッチ装置、スクリューモータおよびステアリングセンサを制御することによりスクリューおよび噴射軸を軸方向を回って１８０°回転させ、噴射軸の両側の凹溝位置を交換させ、媒体が充填されたチャンバーはポンプ本体軸スリーブの媒体の出口端と連通し、元のポンプ本体軸スリーブの媒体の出口端と連通するチャンバーはポンプ本体軸スリーブの媒体の入口端と連通するように変換されるステップと、
（５）制御装置はクラッチ装置によりスクリューの軸方向における回転自由度を再度ロックし、スクリューモータの逆方向への運転により、スクリューおよび噴射軸をスクリューモータの方向から離れるように付勢し、よって噴射軸の両側のチャンバーの容積を変更させ、一側のチャンバーに継続して媒体をポンピングさせると同時に、他の一側のチャンバーに媒体を吸い込ませるステップと、
（６）噴射軸がスクリューモータから分離され、所定のストロークに達した場合、制御装置はクラッチ装置、スクリューモータおよび検知装置を制御して噴射ポンプをリセット方向に設置し、操作が終了するまでこのように繰り返すステップと、
を含む、ことを特徴とする請求項１１〜１３のいずれか一項に記載の噴射ポンプ機構の操作方法。
【請求項１５】
シングルチューブダブルチャンバー噴射ポンプ、ステアリングモータ、スクリューモータ、伝動装置、検知装置および制御装置を含み、
前記シングルチューブダブルチャンバー噴射ポンプは、ポンプ本体軸スリーブ、噴射軸、ハウジング、および密封装置を含み、
ポンプ本体軸スリーブには軸スリーブ媒体の入口端および軸スリーブ媒体の出口端が開設されており、噴射軸の外側壁には二つの細長い凹溝が開設されており、２つの凹溝の一端はいずれも封止されており、他端はいずれも開放されており、かつ開放端はそれぞれ噴射軸の両端と端面が同じ面に位置しており、
噴射軸はポンプ本体軸スリーブ内に設けられており、ポンプ本体軸スリーブの一端は密封装置に密封接続されており、
噴射軸の一つの端面、ポンプ本体軸スリーブの内側壁および密封装置は第１チャンバーを構成しており、噴射軸の他の一つの端面、ポンプ本体軸スリーブの内側壁およびハウジングにおける円筒孔の内部底面は第２チャンバーを構成しており、噴射軸の外円はポンプ本体軸スリーブの内円に密着されており、よって第１チャンバーと第２チャンバーとを仕切っており、
噴射軸はポンプ本体軸スリーブ内で軸方向に沿って前後移動可能であり、それにより２つのチャンバーの容積を変えており、
スクリューモータは制御装置に接続され、伝動装置は伝動ブラケット、第１ギアおよび第２ギアを含み、二つのギアは伝動ブラケット内に設置され、かつ互いに噛合されており、
シングルチューブダブルチャンバー噴射ポンプはスクリューモータにより伝動装置における第１ギアに接続されており、スクリューはスクリューモータの作用のもとで軸方向に移動可能であり、
ステアリングモータの出力軸は第２ギアに接続されており、第２ギアは第１ギアと連動しており、第１ギアは径方向にスクリューと連動しており、
伝動ブラケットには検知装置が設置されており、検知装置は伸縮検知ユニットおよびステアリング検知ユニットを含み、
伸縮検知ユニットは第１フォトカプラセンサであり、スクリューの軸方向に沿って移動する位置を検知するのに用いられ、
ステアリング検知ユニットはフォトカプラ遮蔽盤および第２フォトカプラセンサを含み、第２ギアの外側に設けられており、
ステアリングモータ、スクリューモータ、第１フォトカプラセンサおよび第２フォトカプラセンサは制御装置に接続されており、制御装置はステアリングモータおよびスクリューモータの移動を制御する、
ことを特徴とするシングルチューブダブルチャンバー噴射ポンプ機構。
【請求項１６】
前記フォトカプラ遮蔽盤は半円形であり、フォトカプラ遮蔽盤の二つの径方向における直辺は第２フォトカプラセンサの二つの信号トリガーポイントとしてステアリングモータの回転角度を制御するのに用いられる、ことを特徴とする請求項１５に記載の噴射ポンプ機構。
【請求項１７】
前記シングルチューブダブルチャンバー噴射ポンプのスクリューは、スクリューモータおよび第１ギアを貫通し、第１ギアおよびスクリューは回転対偶を構成している、ことを特徴とする請求項１５に記載の噴射ポンプ機構。
【請求項１８】
（１）シングルチューブダブルチャンバー噴射ポンプのハウジングにおける入口および出口がいずれも外付けの媒体入力装置および媒体出力装置に密封接続されているステップと、
（２）制御装置はステアリング装置を動作するように起動し、かつリセット方向に停止させ、停止位置はステアリング検知ユニットのフォトカプラ遮蔽盤の径方向における直辺が第２フォトカプラセンサをトリガすることにより位置決めされ、リセット方向は、第１チャンバーが噴射軸の一側の凹溝を介してポンプ本体軸スリーブの媒体の出口端と連通し、同時に第２チャンバーが噴射軸の他の一側の凹溝を介してポンプ本体軸スリーブの媒体の入口端と連通し、噴射軸の二つの凹溝はそれぞれポンプ本体軸スリーブの媒体の入口端および媒体の出口端に面する状態であるステップと、
（３）制御装置はスクリューモータを起動してスクリューを駆動させ、スクリューは噴射軸と連動することにより噴射軸をスクリューモータ方向に移動させ、第１チャンバーの容積が小さくなり、チャンバー内に媒体をポンピングさせると同時に、第２チャンバーの容積を大きくし、媒体はチャンバーに吸い込まれ、スクリューモータが噴射軸を密封装置の端面まで走行するように駆動した場合、スクリューの末端は第１フォトカプラセンサをトリガし、制御装置はスクリューモータが動作を停止するように制御するステップと、
（４）制御装置はステアリングモータの運転を起動することにより連動されている第２ギアを回転させ、第２ギアに連動されて第１ギアが回転し、第１ギアに連動されてスクリューが回転し、スクリューは噴射軸と連動してリセット方向と１８０度の角度を成す方向に回転し、この際、フォトカプラ遮蔽盤の他の一つの径方向における直辺は第２フォトカプラセンサをトリガすることによって位置決めし、噴射軸の両側の凹溝位置を交換させ、媒体が充填されたチャンバーはポンプ本体軸スリーブの媒体の出口端と連通し、元のポンプ本体軸スリーブの媒体の出口端と連通するチャンバーはポンプ本体軸スリーブの媒体の入口端と連通するように変換されるステップと、
（５）制御装置はスクリューモータを起動して逆方向に運転させ、噴射軸をスクリューモータ方向から離れるように付勢し、一側のチャンバーに継続して媒体をポンピングさせると同時に、他の一側のチャンバーに媒体を吸い込ませるステップと、
（６）噴射軸がスクリューモータから離れるように付勢され所定のストロークに達した場合、制御装置はスクリューモータが動作を停止するように制御し、その後、ステアリング装置の運転を起動し、かつリセット方向に停止させ、操作が終了するまでこのように繰り返すステップと、
を含む、ことを特徴とする請求項１５〜１７に記載の噴射ポンプ機構の操作方法。
【発明の詳細な説明】
【技術分野】
【０００１】
本発明は噴射ポンプ技術分野に属し、具体的にはシングルチューブダブルチャンバー噴射ポンプ、噴射ポンプ機構およびその操作方法に関する。
【背景技術】
【０００２】
現在、市販されている従来の噴射ポンプの動作方式は断続的なものである。いわゆる断続的とは、噴射ポンプが媒体を吸い込む際は、ポンピング能力を失い、一方で、媒体をポンピングする際は、媒体を吸い込む能力を失うということである。同時に動作する必要がある場合は、二つのポンプが協調して交互に作動することにより媒体を伝送し続ける機能を共同で実現する必要がある。噴射ポンプの高精度、幅広い出力圧力の範囲などの特徴を保持するとともに、その断続的に動作する欠陥を排除しまたは最大限に解消するためには、上記問題を解消可能な噴射ポンプを開発することが必要である。
【発明の概要】
【発明が解決しようとする課題】
【０００３】
本発明は従来技術に存在する問題に鑑みてなされたものであって、シングルチューブダブルチャンバー噴射ポンプ、噴射ポンプ機構およびその操作方法を提供することを目的とする。
【課題を解決するための手段】
【０００４】
本発明の第１の目的はシングルチューブダブルチャンバー噴射ポンプを提供することにより、持続的に単方向へ媒体を出力することを実現することである。
【０００５】
シングルチューブダブルチャンバー噴射ポンプであって、ポンプ本体軸スリーブ、噴射軸、ハウジングおよび密封装置を含み、ポンプ本体軸スリーブには軸スリーブ媒体の入口端および軸スリーブ媒体の出口端が開設されており、噴射軸の外側壁には二つの細長い凹溝が開設されており、二つの凹溝の一端はいずれも封止されており、他端はいずれも開放されており、かつ開放端はそれぞれ噴射軸の両端と端面が同じ面に位置しており、噴射軸はポンプ本体軸スリーブ内に設けられており、ポンプ本体軸スリーブの一端は密封装置に密封接続されており、噴射軸の一つの端面、ポンプ本体軸スリーブの内側壁および密封装置は第１チャンバーを構成しており、噴射軸の他の一つの端面、ポンプ本体軸スリーブの内側壁およびハウジングにおける円筒孔の内部底面は第２チャンバーを構成しており、噴射軸の外円はポンプ本体軸スリーブの内円に密着されており、よって第１チャンバーと第２チャンバーとを仕切っており、噴射軸はポンプ本体軸スリーブ内で軸方向に沿って前後移動可能であることによって二つのチャンバーの容積を変えている。
【０００６】
好ましくは、上記ポンプ本体軸スリーブにおける軸スリーブ媒体の入口端および軸スリーブ媒体の出口端はポンプ本体軸スリーブの中央部に設けられており、軸スリーブ媒体の入口端および軸スリーブ媒体の出口端は対称となるように設置されている。
【０００７】
好ましくは、上記噴射軸における二つの凹溝は噴射軸の中軸の中心をもって中心対称されている。
【０００８】
好ましくは、上記噴射軸にはスクリューを接続するための貫通孔が設けられており、スクリューの一端は貫通孔および密封装置を貫通しており、スクリューは噴射軸の内側壁に緊密に接続されており、密封装置に密封接続されている。
【０００９】
好ましくは、上記ハウジングはポンプ本体軸スリーブの外部に設けられており、ハウジングには軸スリーブ媒体の入口端、軸スリーブ媒体の出口端とそれぞれ連通する入口および出口が設けられており、ハウジング内には媒体入口貫通溝および媒体出口貫通溝が設けられており、軸スリーブ媒体の入口端、軸スリーブ媒体の出口端とそれぞれ連通しており、ハウジングの円筒孔の内壁はポンプ本体軸スリーブの外壁と密閉されている。円筒孔の内部底面はポンプ本体軸スリーブの一つの端面を密閉する役割を果たす。
【００１０】
好ましくは、上記密封装置内にはシールリングが設けられており、シールリングはスクリューに緊密に接続されており、かつ密封装置とハウジングとは締結部材により密着するように接続されている。
【００１１】
好ましくは、上記密封装置には媒体オーバーフロー孔が対称となるように設けられており、溢れる媒体を密封装置におけるオーバーフロー孔を通じて流出させ、スクリューを介してモータに直接達しないようにすることができる。
【００１２】
好ましくは、上記ポンプ本体軸スリーブおよび噴射軸の材質はセラミックである。
【００１３】
好ましくは、上記ハウジングおよび密封装置の材質は金属であり、好ましくは、金属アルミニウムおよびスチールである。
【００１４】
本発明の第２の目的は上記シングルチューブダブルチャンバー噴射ポンプの操作方法を提供することである。
【００１５】
シングルチューブダブルチャンバー噴射ポンプの使用方法であって、
（１）シングルチューブダブルチャンバー噴射ポンプのハウジングにおける入口および出口がいずれも外付けの媒体入力装置および媒体出力装置に密封接続され、噴射軸の二つの凹溝が軸スリーブ媒体の入口端および軸スリーブ媒体の出口端にそれぞれ面するステップと、
（２）スクリューにより噴射軸を付勢し、軸スリーブ媒体の出口端と一側の凹溝を介して連通するチャンバーの容積を小さくし、チャンバー内の媒体は凹溝を介してポンピングされるとともに、軸スリーブ媒体の入口端と他の一側の凹溝を介して連通するチャンバーの容積が大きくなり、媒体は該側の凹溝を介してチャンバーに吸い込まれるステップと、
（３）スクリューが噴射軸を密封装置の端面まで移動するように付勢した場合、スクリューを回転させることにより噴射軸を１８０°回転させ、噴射軸の両側の凹溝位置を交換させ、元の軸スリーブ媒体の入口端と連通する一側の凹溝は軸スリーブ媒体出口端と連通するようになり、この際、該凹溝と連通するチャンバー内には媒体が充填されると同時に、元のポンプ本体軸スリーブ媒体の出口端と連通する他の一側の凹溝は軸スリーブ媒体の入口端と連通するようになり、該凹溝と連通するチャンバーは既に全ての媒体が排出されているステップと、
（４）スクリューおよび噴射軸を逆方向に駆動し、両側の媒体チャンバーの容積を変え、一側の媒体チャンバーに継続して媒体をポンピングさせると同時に、他の一側の媒体チャンバーにより媒体を吸い込ませ、このように繰り返すステップと、
を含む、ことを特徴とする。
【００１６】
本発明に係るシングルチューブダブルチャンバー噴射ポンプは構造が簡単であり、かつ噴射軸における二つの凹溝の開口はそれぞれ噴射軸の二つの異なる端面にあり、スクリューによる噴射軸を駆動させる移動方向が異なることに合わせて、一方の媒体チャンバーに出口端へ媒体を噴射させると同時に、他方の媒体チャンバーは入口端から媒体を吸い込む。本発明は噴射軸を往復移動させ、かつステアリングの際に凹溝と軸スリーブ媒体の出入口との対応関係を切り替えることで、噴射ポンプに持続的に単方向へ媒体を出力させる能力を有するようにする。本発明は、さらにスクリューの伝動および高精度の送り制御により、高精度の計量制御を実現することができる。本発明に係るポンプ本体軸スリーブおよび噴射軸の材料はセラミックであることが好ましく、特に高粘度の媒体に対し、高精度で嵌合され密閉の役割を果たして二つの媒体チャンバーを仕切り、耐磨耗、回転および摺動の抵抗が小さいという効果を有する。本発明に係るポンプ本体軸スリーブおよび噴射軸はその他の材料および密封方法を用いてもよく、具体的には、水、クリアオイルおよびガス等の流動性が高く、粘度が低い媒体に対応するための金属材料およびゴム封止技術である。
【００１７】
本発明の第３の目的は、上記シングルチューブダブルチャンバー噴射ポンプを含む噴射ポンプ機構を提供することにより、噴射ポンプに対する操作制御および運転を実現することができ、噴射ポンプ機構の運転自動化を達成することである。
【００１８】
シングルチューブダブルチャンバー噴射ポンプ機構であって、シングルチューブダブルチャンバー噴射ポンプ、スクリューモータ、クラッチ装置、検知装置および制御装置を含み、上記シングルチューブダブルチャンバー噴射ポンプは、ポンプ本体軸スリーブ、噴射軸、ハウジングおよび密封装置を含み、ポンプ本体軸スリーブには軸スリーブ媒体の入口端および軸スリーブ媒体の出口端が開設されており、噴射軸の外側壁には二つの細長い凹溝が開設されており、二つの凹溝の一端はいずれも封止されており、他端はいずれも開放されており、かつ開放端はそれぞれ噴射軸の両端と端面が同じ面に位置しており、噴射軸はポンプ本体軸スリーブ内に設けられており、ポンプ本体軸スリーブの一端は密封装置に密封接続されており、噴射軸の一つの端面、ポンプ本体軸スリーブの内側壁および密封装置は第１チャンバーを構成しており、噴射軸の他の一つの端面、ポンプ本体軸スリーブの内側壁およびハウジングにおける円筒孔の内部底面は第２チャンバーを構成しており、噴射軸の外円はポンプ本体軸スリーブの内円に密着されており、よって第１チャンバーと第２チャンバーとを仕切っており、噴射軸はポンプ本体軸スリーブ内で軸方向に沿って前後移動可能であることにより二つのチャンバーの容積を変えており、スクリューモータはスクリューにより両側においてシングルチューブダブルチャンバー噴射ポンプおよびクラッチ装置にそれぞれ接続されており、クラッチ装置はクラッチディスクおよびクラッチディスクの両側に対向するように設置された第１電磁クラッチ部材、第２電磁クラッチ部材を含み、二つの電磁クラッチ部材は制御装置にケーブルを介してそれぞれ接続されており、電磁クラッチ部材は通電された後にクラッチディスクを吸着することができ、二つの電磁クラッチ部材はクラッチブラケットにより組み付けられると共に固定されており、かつスクリューモータに固着されており、スクリューモータに近接する一側の第１電磁クラッチ部材の中心には回転子が設けられており、回転子とスクリューモータの回転子とは装着されるように接続されて回転対偶を形成しており、モータ回転子が回転する際に電磁クラッチ部材における回転子に連動して同期回転しており、検知装置はスクリューセンサおよびステアリングセンサを含み、二つのセンサは制御装置にケーブルを介してそれぞれ接続されており、かつ信号を伝送しており、スクリューセンサは第２電磁クラッチ部材の外側のクラッチブラケットに設けられており、スクリューの位置信号をトリガするのに用いられ、ステアリングセンサはクラッチディスクの下方のクラッチブラケットに設けられており、スクリューの中央部は片側フラットワイヤ状を呈しており、クラッチディスクの層間に挿入されたセンサ遮蔽シートの直線底辺はスクリューのフラットワイヤ状平面にマッチしており、クラッチディスクおよびスクリューに回転対偶を構成させており、クラッチディスクはスクリューを回って回転する際にスクリューを同期して回転移動するように駆動しており、センサ遮蔽シートおよびステアリングセンサは嵌合され回転位置信号をトリガしている。
【００１９】
クラッチ装置における二つの電磁クラッチ部材はコントローラにより制御され、任意の電磁クラッチ部材は通電された後に電磁場を生成し、かつクラッチディスクを吸着して一体に結合される。クラッチディスクと回転子が設置されている電磁クラッチ部材とが一体に吸着された場合、スクリューモータの回転子と間接的に一体化され、かつスクリューモータに駆動されて回転移動し、それによりスクリューおよび噴射軸を駆動してスクリューモータと共に回転する。クラッチディスクが他の一側の電磁クラッチ部材に吸着された後、クラッチブラケットと間接的に一体化され、かつ相対的な静止状態を保持し、それによりスクリューおよび噴射軸の回転移動を阻止する。
【００２０】
本発明に係る検知装置のスクリューセンサおよびステアリングセンサはいずれもフォトカプラセンサである。
【００２１】
好ましくは、上記センサ遮蔽シートは半円形であり、クラッチディスクの層間に固定するように設置され、その半径はクラッチディスクの半径よりも大きく、そのため、クラッチディスクの外径より突出した部分はステアリングセンサを遮蔽することで信号をトリガすることができる。スクリューモータがクラッチディスクを回転させる際に、センサ遮蔽シートは共に回転し、センサ遮蔽シートの径方向の底辺はクラッチディスクの外径の両側にそれぞれ設置されており、センサの二つの信号トリガーポイントとなり、互いに１８０°離れており、そのいずれか一辺がステアリングセンサを通過する場合、対応する信号をトリガし、この信号は制御装置によりステアリング過程における二つの停止位置を判定するのに用いられる。
【００２２】
本発明に係るスクリューセンサは、スクリューの軸方向に沿って移動する位置を検知するのに用いられ、スクリューモータの作用のもとでスクリューが軸方向に移動し、スクリューの露出端（末端）が該スクリューセンサをトリガする場合、制御装置はクラッチ装置およびスクリューモータの連動を利用して、スクリューおよび噴射軸を１８０°回転させた後、さらにスクリューモータによりスクリューを逆方向へ軸方向移動するように駆動する。
【００２３】
本発明に係る噴射ポンプ機構は制御装置および検知装置により、クラッチ装置およびスクリューモータを正確に制御することができ、ステアリング動作と噴射軸およびスクリューのプッシュプル（押して引く）動作を交互に実行することができ、該噴射ポンプに対する操作および運転を実現し、噴射ポンプ機構の運転自動化を実現する。
【００２４】
噴射ポンプ機構の操作方法であって、
（１）シングルチューブダブルチャンバー噴射ポンプのハウジングにおける入口および出口がいずれも外付けの媒体入力装置および媒体出力装置に密封接続されるステップと、
（２）制御装置はクラッチ装置、スクリューモータおよび検知装置を制御して噴射ポンプをリセット方向に配置し、リセット方向は、第１チャンバーが噴射軸の一側の凹溝を介してポンプ本体軸スリーブの媒体の出口端と連通し、同時に第２チャンバーが噴射軸の他の一側の凹溝を介してポンプ本体軸スリーブの媒体の入口端と連通し、噴射軸の二つの凹溝がポンプ本体軸スリーブの媒体の入口端および媒体の出口端にそれぞれ面するステップと、
（３）コントローラはクラッチ装置によりスクリューの軸方向における回転自由度をロックし、かつスクリューモータによりスクリューおよび噴射軸のスクリューモータ方向への移動を駆動し、第１チャンバーの容積が小さくなり、チャンバー内の媒体が噴射軸の凹溝を介してポンピングされ、同時に第２チャンバーの容積が大きくなり、媒体が該側の噴射軸の凹溝を介してチャンバーに吸い込まれるステップと、
（４）スクリューモータが噴射軸を密封装置の端面に近接するように駆動する際、スクリューの末端はスクリューセンサをトリガし、制御装置はクラッチ装置、スクリューモータおよびステアリングセンサを制御することによりスクリューおよび噴射軸を軸方向を回って１８０°回転させ、噴射軸の両側の凹溝位置を交換させ、媒体が充填されたチャンバーはポンプ本体軸スリーブの媒体の出口端と連通し、元のポンプ本体軸スリーブの媒体の出口端と連通するチャンバーはポンプ本体軸スリーブの媒体の入口端と連通するように変換されるステップと、
（５）制御装置はクラッチ装置によりスクリューの軸方向における回転自由度を再度ロックし、スクリューモータの逆方向への運転により、スクリューおよび噴射軸をスクリューモータの方向から分離させ、よって噴射軸の両側のチャンバーの容積を変更し、一側のチャンバーに継続して媒体をポンピングさせると同時に、他の一側のチャンバーは媒体を吸い込ませるステップと、
（６）噴射軸がスクリューモータから分離され、所定のストロークに達した場合、制御装置はクラッチ装置、スクリューモータおよび検知装置を制御して噴射ポンプをリセット方向に設置し、操作が終了するまでこのように繰り返すステップと、
を含む。
【００２５】
本発明の第４の目的はシングルチューブダブルチャンバー噴射ポンプを含む他の一つの噴射ポンプ機構を提供することにより、同じく噴射ポンプに対する操作制御および運転を実現することができ、噴射ポンプ機構の運転自動化を達成することである。
【００２６】
噴射ポンプ機構であって、シングルチューブダブルチャンバー噴射ポンプ、ステアリングモータ、スクリューモータ、伝動装置、検知装置および制御装置を含み、上記シングルチューブダブルチャンバー噴射ポンプは、ポンプ本体軸スリーブ、噴射軸、ハウジングおよび密封装置を含み、ポンプ本体軸スリーブには軸スリーブ媒体の入口端および軸スリーブ媒体の出口端が開設されており、噴射軸の外側壁には二つの細長い凹溝が開設されており、二つの凹溝の一端はいずれも封止されており、他端はいずれも開放されており、かつ開放端は噴射軸の両端とそれぞれ端面が同じ面に位置しており、噴射軸はポンプ本体軸スリーブ内に設けられており、ポンプ本体軸スリーブの一端は密封装置に密封接続されており、噴射軸の一つの端面、ポンプ本体軸スリーブの内側壁および密封装置は第１チャンバーを構成しており、噴射軸の他の一つの端面、ポンプ本体軸スリーブの内側壁およびハウジングにおける円筒孔の内部底面は第２チャンバーを構成しており、噴射軸の外円はポンプ本体軸スリーブの内円に密着されており、よって第１チャンバーと第２チャンバーとを仕切っており、噴射軸はポンプ本体軸スリーブ内で軸方向に沿って前後移動可能であり、それにより二つのチャンバーの容積を変えており、スクリューモータは制御装置に接続され、伝動装置は伝動ブラケット、第１ギアおよび第２ギアを含み、二つのギアは伝動ブラケット内に設置され、かつ互いに噛合されており、シングルチューブダブルチャンバー噴射ポンプはスクリューモータにより伝動装置における第１ギアに接続されており、スクリューはスクリューモータの作用のもとで軸方向に移動可能であり、ステアリングモータの出力軸は第２ギアに接続されており、第２ギアは第１ギアと連動しており、第１ギアは径方向にスクリューと連動しており、伝動ブラケットには検知装置が設置されており、検知装置は伸縮検知ユニットおよびステアリング検知ユニットを含み、伸縮検知ユニットは第１フォトカプラセンサであり、スクリューの軸方向に沿って移動する位置を検知するのに用いられ、ステアリング検知ユニットはフォトカプラ遮蔽盤および第２フォトカプラセンサを含み、第２ギアの外側に設けられており、ステアリングモータ、スクリューモータ、第１フォトカプラセンサおよび第２フォトカプラセンサは制御装置に接続されており、制御装置はステアリングモータおよびスクリューモータの移動を制御するのに用いられる。
【００２７】
好ましくは、上記フォトカプラ遮蔽盤は半円形であり、フォトカプラ遮蔽盤の二つの径方向における直辺は第２フォトカプラセンサの二つの信号トリガーポイントとしてステアリングモータの回転角度を制御するのに用いられる。
【００２８】
好ましくは、シングルチューブダブルチャンバー噴射ポンプのスクリューはスクリューモータおよび第１ギアを貫通し、第１ギアおよびスクリューは回転対偶を構成している。具体的には、スクリューの第１ギアを貫通する部分はフラット状を呈し、第１ギア内の貫通孔は矩形であり、それにより第１ギアとスクリューとを回転対偶に構成させている。同時に、スクリューモータの作用のもとで、スクリューは軸方向に沿って移動可能であり、かつ第１ギアの貫通孔内で軸方向に沿って摺動し、それにより噴射軸を軸方向に沿って移動するように駆動する。
【００２９】
本発明におけるステアリングモータはモータおよび減速機で構成され、ステアリングモータ、伝動装置およびスクリューの設計によりステアリング機構を構成し、ステアリング移動を遂行するのに用いられ、ステアリングモータが動作する際に、伝動装置における二つのギアを駆動し、さらにスクリューおよび噴射軸が一緒に回転するように駆動する。
【００３０】
第１フォトカプラセンサはスクリューの軸方向に沿って移動する位置を検知するのに用いられ、スクリューモータの作用のもとでスクリューは軸方向に沿って外へ移動し、スクリューの末端は第１フォトカプラセンサをトリガし、それにより信号をトリガし、この信号は制御装置によりスクリューが特定の位置まで移動することを判定するのに用いられ、ステアリング検知ユニットはフォトカプラ遮蔽盤および第２フォトカプラセンサを含み、フォトカプラ遮蔽盤は半円形であり、ステアリングモータに接続されたギアの他端に設けられ、ステアリングモータの作用のもとで、フォトカプラ遮蔽盤は共に回転し、フォトカプラ遮蔽盤の二つの径方向における直辺は第２フォトカプラセンサの二つの信号トリガーポイントとして、互いに１８０°離れた回転角の関係を呈し、そのいずれか一辺がフォトカプラセンサを通過する場合、対応する信号をトリガし、この信号は制御装置によりステアリング過程における二つの停止位置を判定するのに用いられる。
【００３１】
上記噴射ポンプ機構の操作方法は、
（１）シングルチューブダブルチャンバー噴射ポンプのハウジングにおける入口および出口がいずれも外付けの媒体入力装置および媒体出力装置に密封接続されているステップと、
（２）制御装置はステアリング装置を動作するように起動し、かつリセット方向に停止させ、停止位置はステアリング検知ユニットのフォトカプラ遮蔽盤の径方向における直辺が第２フォトカプラセンサをトリガすることにより位置決めされ、リセット方向は、第１チャンバーが噴射軸の一側の凹溝を介してポンプ本体軸スリーブの媒体の出口端と連通し、同時に第２チャンバーが噴射軸の他の一側の凹溝を介してポンプ本体軸スリーブの媒体の入口端と連通し、噴射軸の二つの凹溝がそれぞれポンプ本体軸スリーブの媒体の入口端および媒体の出口端に面する状態であるステップと、
（３）制御装置はスクリューモータを起動してスクリューを駆動させ、スクリューは噴射軸と連動することにより噴射軸をスクリューモータ方向に移動させ、第１チャンバーの容積が小さくなり、チャンバー内の媒体をポンピングさせると同時に、第２チャンバーの容積を大きくし、媒体はチャンバーに吸い込まれ、スクリューモータが噴射軸を密封装置の端面まで走行するように駆動した場合、スクリューの末端は第１フォトカプラセンサをトリガし、制御装置はスクリューモータが動作を停止するように制御するステップと、
（４）制御装置はステアリングモータの運転を起動することにより連動されている第２ギアを回転させ、第２ギアに連動されて第１ギアが回転し、第１ギアに連動されてスクリューが回転し、スクリューは噴射軸をリセット方向と１８０度の角度を成す方向に回転するように連動させ、この際、フォトカプラ遮蔽盤の他の一つの径方向における直辺は第２フォトカプラセンサをトリガすることによって位置決めし、噴射軸の両側の凹溝位置を交換させ、媒体が充填されたチャンバーはポンプ本体軸スリーブの媒体の出口端と連通し、元のポンプ本体軸スリーブの媒体の出口端と連通するチャンバーはポンプ本体軸スリーブの媒体の入口端と連通するように変換されるステップと、
（５）制御装置はスクリューモータを起動して逆方向に運転させ、噴射軸をスクリューモータ方向から分離させ、一側のチャンバーに継続して媒体をポンピングさせると同時に、他の一側のチャンバーに媒体を吸い込ませるステップと、
（６）噴射軸がスクリューモータから分離され、所定のストロークに達した際に、制御装置はスクリューモータが動作を停止するように制御し、その後、ステアリング装置の運転を起動し、かつリセット方向に停止させ、操作が終了するまでこのように繰り返すステップと、
を含む。
【発明の効果】
【００３２】
上記噴射ポンプ機構は制御装置および検知装置により、ステアリングモータおよびスクリューモータを正確に制御することができ、ステアリング動作と噴射軸およびスクリューのプッシュプル動作を交互に実行させることができ、該噴射ポンプに対する操作および運転を実現し、噴射ポンプ機構の運転自動化を実現する。
【図面の簡単な説明】
【００３３】
【図１】本発明の実施例１に係るシングルチューブダブルチャンバー噴射ポンプの構造を示す図である。
【図２】本発明の実施例１に係るポンプ本体軸スリーブの構造断面図である。
【図３】本発明の実施例１に係る噴射軸の構造を示す図である。
【図４】本発明の実施例１に係る噴射軸の構造断面図である。
【図５】本発明の実施例１に係るハウジングの構造を示す図である。
【図６】本発明の実施例２に係る噴射ポンプ機構の構造を示す図である。
【図７】図６に示された噴射ポンプ機構の平面図である。
【図８】図６に示された噴射ポンプ機構の側面図である。
【図９】図６に示された噴射ポンプ機構の背面図である。
【図１０】図６に示された噴射ポンプ機構の断面図である。
【図１１】本発明の実施例３に係る噴射ポンプ機構の構造を示す図である。
【図１２】図１１に示された噴射ポンプ機構の断面図である。
【図１３】図１１に示された噴射ポンプ機構の側面図である。
【発明を実施するための形態】
【００３４】
以下、具体的な実施例により、本発明の技術的解決手段についてさらに説明する。
【００３５】
（実施例１）
図１〜５に示すようなシングルチューブダブルチャンバー噴射ポンプは、ポンプ本体軸スリーブ２、噴射軸３、ハウジング１および密封装置６を含む。ポンプ本体軸スリーブ２の中間位置には軸スリーブ媒体の入口端１−１および軸スリーブ媒体出口端１−２が対称となるように設置されている。噴射軸３の外側壁には二つの細長い凹溝が開設されており、それぞれ噴射軸凹溝３−１および噴射軸凹溝３−２である。二つの凹溝の一端はいずれも封止されており、他端はいずれも開放されており、かつ開放端はそれぞれ噴射軸３の両端と端面が同じ面に位置し、噴射軸凹溝３−１、噴射軸凹溝３−２は噴射軸３の中軸の中心をもって中心対称する。
【００３６】
ハウジング１の一端には円筒孔が設けられており、ポンプ本体軸スリーブ２は円筒孔内に設けられており、噴射軸３はポンプ本体軸スリーブ２内に設けられている。ポンプ本体軸スリーブ２の一端は密封装置６に密封接続されており、噴射軸３の一つの端面、ポンプ本体軸スリーブ２の内側壁および密封装置６は第１チャンバーを構成しており、噴射軸３の他の一つの端面、ポンプ本体軸スリーブ２の内側壁およびハウジング１における円筒孔の内部底面は第２チャンバーを構成している。噴射軸３はポンプ本体軸スリーブ２内で軸方向に沿って前後移動可能であり、それにより２つのチャンバーの容積を変えている。
【００３７】
噴射軸３の中心には貫通孔３−３が開設されており、スクリュー７の一端は貫通孔３−３および密封装置６を貫通しており、スクリュー７は噴射軸の内側壁に緊密に接続されており、同時にスクリュー７は密封装置６に密封接続されている。噴射軸３の回転および移動はスクリュー７により連動されている。
【００３８】
ハウジング１はポンプ本体軸スリーブ２の外部に設置されており、ハウジング１には軸スリーブ媒体の入口端１−１および軸スリーブ媒体の出口端１−２とそれぞれ連通する入口および出口が設けられている。ハウジング１内には媒体の入口貫通溝および媒体の出口貫通溝が設けられており、それぞれ軸スリーブ媒体の入口端１−１、軸スリーブ媒体の出口端１−２と連通している。ハウジング１の円筒孔の内壁はポンプ本体軸スリーブ２の外壁に密閉されており、ハウジング１の円筒孔の内部底面はポンプ本体軸スリーブ２の一つの端面を密閉する役割を果たす。
【００３９】
密封装置６内には密封バッフル４およびシールリング５が設けられており、シールリング５はスクリュー７に緊密に接続されており、密封装置６とハウジング１は密封バッフル４により密着するように接続されており、ポンプ本体軸スリーブ２の他の一つの端面を密閉する作用を果たす。
【００４０】
密封装置６にはさらに対称する媒体オーバーフロー孔が設けられており、溢れる媒体を密封装置６におけるオーバーフロー孔を通じて流出できるようにし、直接スクリュー７を介してモータに達しないようにする。
【００４１】
ポンプ本体軸スリーブ２および噴射軸３はいずれもセラミック材料であり、ハウジング１および密封装置６はいずれも金属材質、例えば、アルミニウム材またはスチール材である。
【００４２】
シングルチューブダブルチャンバー噴射ポンプの操作方法の具体的なステップは以下のとおりである。
【００４３】
（１）シングルチューブダブルチャンバー噴射ポンプのハウジング１における入口および出口がいずれも外付けの媒体入力装置および媒体出力装置に密結合され、噴射軸３の二つの凹溝をそれぞれ軸スリーブ媒体の入口端１−１および軸スリーブ媒体の出口端１−２に面するようにする。
【００４４】
（２）スクリュー７により噴射軸３を付勢し、媒体の出口端１−２と連通するチャンバー（第１チャンバー）の容積を小さくし、チャンバー内の媒体（最初の場合、空気または空気と媒体との混合体がある）は噴射軸凹溝３−１を介してポンピングされ、同時に、軸スリーブ媒体の入口端１−１と連通するチャンバー（第２チャンバー）の容積は大きくなり、媒体は噴射軸凹溝３−２を介して対応するチャンバー内に吸い込まれる。
【００４５】
（３）スクリュー７が噴射軸３を密封装置６の端面まで走行するように付勢する場合、スクリュー７を回転することにより噴射軸３を１８０°回転させ、その両側の噴射軸の凹溝位置を交換させ、元の軸スリーブ媒体の入口端１−１と連通する噴射軸凹溝３−２は軸スリーブ媒体の出口端１−２と連通するようになり、この際、該凹溝と連通するチャンバー（第２チャンバー）内には媒体が充填され、軸スリーブ媒体の出口端１−２と連通し、元の媒体の出口端１−２と連通する噴射軸凹溝３−１は軸スリーブ媒体の入口端１−１と連通するようになり、該凹溝と連通するチャンバー（第１チャンバー）は既に全ての媒体を排出している。
【００４６】
（４）スクリュー７および噴射軸３を逆方向に駆動し、両側のチャンバーの容積を変え、一つのチャンバーに媒体をポンピングさせると同時に他の一つのチャンバーに媒体を吸い込ませる。このように繰り返し、噴射軸３の凹溝位置を切り替える際に短時間停止する以外、該シングルチューブダブルチャンバー噴射ポンプは、操作が終了するまで継続して媒体をポンピングすることができる。
【００４７】
（実施例２）
図６〜１０に示すような噴射ポンプ機構は、シングルモータにより制御されており、シングルチューブダブルチャンバー噴射ポンプ（シングルチューブダブルチャンバー噴射ポンプの構造は実施例１を参照）、スクリューモータ８、クラッチ装置、検知装置および制御装置を含む。スクリューモータ８は、スクリュー７により両側のシングルチューブダブルチャンバー噴射ポンプ、クラッチ装置に接続されている。スクリューモータ８は制御装置に接続されており、制御装置はスクリューモータ８の運転または停止を制御する。クラッチ装置はクラッチディスク９１およびクラッチディスク９１の両側に対向となるように設置された第１電磁クラッチ部材９２、第２電磁クラッチ部材９３を含み、二つの電磁クラッチ部材は制御装置にそれぞれ電気的に接続されており、電磁クラッチ部材は通電された後にクラッチディスクを吸着することができる。二つの電磁クラッチ部材はクラッチブラケット１０により装着されて固定されており、かつスクリューモータ８に固着されている。スクリューモータ８に近接する一側の第１電磁クラッチ部材９２の中心には回転子が設けられており、回転子とスクリューモータ８の回転子とは装着されるように接続されて回転対偶を形成しており、モータ回転子が回転する際に第１電磁クラッチ部材における回転子に連動して同期回転する。
【００４８】
検知装置は二つのフォトカプラセンサを含み、それぞれステアリングセンサ１０２およびスクリューセンサ１０１であり、二つのフォトカプラセンサは制御装置にそれぞれ接続されて信号を伝送する。スクリューセンサ１０１は第２電磁クラッチ部材の外側のクラッチブラケットに設けられており、スクリューモータ８がスクリュー７を軸方向における所定の位置まで移動するように駆動する際にスクリューの位置信号をトリガする。
【００４９】
スクリュー７のクラッチ装置と嵌合する一部は片側フラットワイヤ状を呈しており、クラッチディスク９１の層間に挿入されたセンサ遮蔽シート９４の直線底辺はスクリュー７のフラットワイヤ状平面にマッチしており、クラッチディスク９１およびスクリュー７を回転対偶に構成させており、クラッチディスク９１がスクリュー７を回って回転する際にスクリュー７を同期して回転移動するように駆動しており、センサ遮蔽シート９４は回転位置信号をトリガするのに用いられる。ステアリングセンサ１０２はセンサ遮蔽シート９４の下方のクラッチブラケットに設けられている。センサ遮蔽シート９４は半円形であり、クラッチディスク９１の層間に固定するように設置されており、その半径はクラッチディスク９１の半径より大きく、クラッチディスク９１の外径より突出した部分はステアリングセンサ１０２を遮蔽することで信号をトリガすることができ、スクリューモータ８がクラッチディスク９１を回転させる際に、センサ遮蔽シート９４も共に回転しており、センサ遮蔽シート９４の径方向底辺はクラッチディスク９１の外径の両側にそれぞれ設置されており、ステアリングセンサ１０２の二つの信号トリガーポイントを成し、互いに１８０°離れた回転角の関係を呈しており、いずれか一辺がステアリングセンサ１０２を通過する場合、対応する信号をトリガし、この信号は制御装置によりステアリング過程における二つの停止位置を判定するのに用いられる。
【００５０】
クラッチ装置における二つの電磁クラッチ部材は制御装置により制御され、制御装置は一つのみの電磁クラッチ部材が通電されるように保持し、電磁クラッチ部材は通電された後に電磁場を生成し、かつクラッチディスク９１を吸着して一体に結合される。クラッチディスク９１と回転子が設置された第１電磁クラッチ部材９２とが一体に吸着された場合、スクリューモータ８の回転子と間接的に一体化されており、スクリューモータ８に駆動されて共に回転移動しており、それによりスクリュー７および噴射軸３をスクリューモータ８と共に回転するように駆動する。クラッチディスク９１が他の一側の第２電磁クラッチ部材９３に吸着された後、クラッチブラケット１０と間接的に一体化され、かつ相対的静止状態を保持し、それによりスクリュー７および噴射軸３の回転移動を阻止する。
【００５１】
本実施例に係る噴射ポンプ機構の操作方法は以下のステップを含む。
（１）シングルチューブダブルチャンバー噴射ポンプのハウジング１における入口および出口がいずれも外付けの媒体入力装置および媒体出力装置に密封接続される。
【００５２】
（２）制御装置はクラッチ装置、スクリューモータ８および検知装置の協調動作により、シングルチューブダブルチャンバー噴射ポンプをリセット方向に配置し、即ち第１チャンバーは媒体の出口端と噴射軸３の一側の凹溝を介して連通し、同時に他の一側の第２チャンバーは媒体の入口端と噴射軸３の他の一側の凹溝を介して連通し、噴射軸３の二つの凹溝はそれぞれポンプ本体軸スリーブ媒体の入口端および媒体の出口端に面する。
【００５３】
（３）制御装置は第２電磁クラッチ部材９３を通電させ、クラッチディスク９１は第２電磁クラッチ部材２９３に吸着され、クラッチ装置はスクリュー７の軸方向の回転自由度をロックし、かつスクリューモータ８によりスクリュー７および噴射軸３をスクリューモータ８の方向に移動するように駆動し、第１チャンバーの容積が小さくなり、チャンバー内の媒体（初期の場合、空気または空気と媒体との混合体がある）は出口からポンピングされ、同時に他の一側の第２チャンバーの容積は大きくなり、媒体は該側の入口を介してチャンバーに吸い込まれる。
【００５４】
（４）スクリューモータ８が噴射軸３を軸方向において密封装置６に近接する端面まで移動するように駆動した場合、スクリュー７の末端はスクリューセンサ１０１をトリガし、スクリューセンサ１０１は信号を制御装置に伝送し、制御装置は第１電磁クラッチ部材９２を通電させ、クラッチディスク９１と第１電磁クラッチ部材９２とが一体に吸着された場合、スクリューモータ８の回転子と間接的に一体化され、かつスクリューモータ８に駆動されて共に回転移動し、センサ遮蔽シート９４によりステアリングセンサ１０２をトリガし、スクリュー７および噴射軸３を軸方向を回って１８０度回転させ、噴射軸３の両側の凹溝位置を交換させ、元の媒体の入口端に面する一側の凹溝は媒体の出口端に面するようになり、この際、該凹溝と連通する媒体チャンバー内には媒体が充填され、かつ媒体の出口端と連通し、元の媒体の出口端に面する他の一側の凹溝は媒体の入口端に面するようになり、該凹溝と連通する媒体チャンバーは既に媒体を排出し、かつ媒体の入口端と連通する。
【００５５】
（５）制御装置１１は第２電磁クラッチ部材９３を通電させ、クラッチディスク９１は第２電磁クラッチ部材９３に吸着され、スクリュー７の軸方向における回転自由度をロックし、スクリューモータ８の逆方向への運転により、スクリュー７および噴射軸３をスクリューモータ８の方向から分離させ、このように噴射軸３の両側のチャンバーの容積を変更し、一側のチャンバーに継続して媒体をポンピングさせると同時に、他の一側のチャンバーに媒体を吸い込ませ、同時に制御装置は噴射軸３およびスクリュー７のストロークの累積を開始する。
【００５６】
（６）噴射軸３が所定のストロークまで離れるように付勢された場合、制御装置は噴射ポンプのポンピング動作を停止させ、制御装置はステアリング動作を実施し、クラッチ装置、スクリューモータおよび検知装置の協調動作により、噴射ポンプをリセット方向に再度設置する。このように繰り返し、ステアリング動作を実行する際に短時間停止する以外、該シングルチューブダブルチャンバー噴射ポンプ機構は、持続的に媒体をポンピングすることができる。
【００５７】
（実施例３）
図１１〜１３に示すような噴射ポンプ機構は、ダブルモータにより制御され、シングルチューブダブルチャンバー噴射ポンプ（シングルチューブダブルチャンバー噴射ポンプの構造は実施例１を参照）、ステアリングモータ１１、スクリューモータ８、伝動装置１３、検知装置および制御装置を含む。スクリューモータ８は制御装置に接続されており、制御装置はスクリューモータ８の運転を制御する。伝動装置１３は伝動ブラケット１３１、第１ギア１３２および第２ギア１３３を含み、二つのギアは伝動ブラケット１３１内に設置されて、互いに噛合しており、シングルチューブダブルチャンバー噴射ポンプはスクリューモータ８により第１１ギア１３２に接続されている。スクリュー７の第１ギア１３２を貫通する部分はフラット状を呈しており、第１ギア１３２の中央部の貫通孔は矩形であり、それにより第１ギア１３２とスクリュー７を回転対偶に構成しており、スクリューモータ８の作用のもとで、スクリュー７は軸方向に沿って移動可能であり、かつ第１ギア１３２の貫通孔内において軸方向に沿って摺動ておりし、それにより噴射軸３を軸方向に沿って移動するように駆動する。
【００５８】
ステアリングモータ１１は、モータおよび減速機で構成されている。伝動ブラケット１３１には検知装置が設置されており、検知装置は伸縮検知ユニットおよびステアリング検知ユニットを含み、伸縮検知ユニットは第１フォトカプラセンサ１４１であり、スクリュー７が軸方向に沿って移動する位置信号を検知するのに用いられる。スクリューモータ８の作用のもとでスクリュー７は軸方向に沿って外へ移動し、スクリュー７の末端は第１フォトカプラセンサ１４１をトリガして、信号をトリガし、この信号は制御装置によりスクリュー７の所定の位置までの移動を判定するのに用いられる。ステアリング検知ユニットはフォトカプラ遮蔽盤１４３および第２フォトカプラセンサ１４２を含み、フォトカプラ遮蔽盤１４３は半円形であり、ステアリングモータ１１の出力軸に接続された第２ギア１３３の外側に設置され、ステアリングモータ１１の作用のもとで、フォトカプラ遮蔽盤１４３は共に回転する。第２フォトカプラセンサ１４２はフォトカプラ遮蔽盤１４３の下方に設けられ、フォトカプラ遮蔽盤１４３の二つの径方向における直辺は第２フォトカプラセンサ１４２の二つの信号トリガーポイントとして互いに１８０°離れ、いずれかの径方向における直辺が第２フォトカプラセンサ１４２を通過する際、対応する信号をトリガし、この信号は制御装置によりステアリング過程における二つの停止位置を判定するのに用いられる。
【００５９】
本実施例に係る噴射ポンプ機構の操作方法は以下のステップを含む。
（１）シングルチューブダブルチャンバー噴射ポンプのハウジング１における入口および出口がいずれも外付けの媒体入力装置および媒体出力装置に密封接続される。
【００６０】
（２）制御装置はステアリングモータ１１の回転を起動して、シングルチューブダブルチャンバー噴射ポンプをリセット方向に配置し、この停止位置は、ステアリング検知ユニットのフォトカプラ遮蔽盤の一辺により位置決めされる。リセット方向とは、第１チャンバーと媒体の出口端とが噴射軸３の一側の凹溝を介して連通し、同時に他の一側の第２チャンバーと媒体の入口端とが噴射軸３の他側の凹溝を介して連通し、噴射軸３の二つの凹溝はそれぞれ媒体の入口端および軸スリーブ媒体の出口端に面することを指す。
【００６１】
（３）制御装置はスクリューモータ８を起動して、噴射軸３を駆動し、噴射軸３をスクリューモータ８の方向に移動させ、第１チャンバーの容積が小さくなり、チャンバー内の媒体（初期の場合、空気または空気と媒体との混合体がある）は出口を介してポンピングされ、同時に他の一側の第２チャンバーの容積が大きくなり、かつ媒体は該側の噴射軸の凹溝を介してチャンバーに吸い込まれる。スクリューモータ８が噴射軸３を駆動して軸方向において密封装置６の端面まで移動させた場合、スクリュー７の末端は第１フォトカプラセンサ１４１をトリガし、制御装置はこのトリガ信号に基づき、スクリューモータ８を停止させる。
【００６２】
（４）制御装置はステアリングモータ１１の運転を起動し、かつリセット方向と反対の方向に停止させる。この停止位置はステアリング検知ユニットのフォトカプラ遮蔽盤１４３の他の一辺により位置決めされる。リセット方向と反対の方向とは、リセット方向をもって１８０°ステアリングして移動した後の位置である。この際、噴射軸３の両側の凹溝位置の切り替えが完了し、元の媒体の入口端に面する一側の凹溝は媒体の出口端に面するようになる。この際、該凹溝と連通する媒体チャンバーには媒体が充填され、かつ媒体の出口端と連通する。他方、元の媒体の出口端に面する他の一側の凹溝は媒体の入口端に面するようになり、該凹溝と連通する媒体チャンバーは既に媒体を排出し、軸スリーブ媒体の入口端と連通する。
【００６３】
（５）制御装置はスクリューモータ８を起動して逆方向に運転させ、噴射軸３をスクリューモータ８の方向から離れるように付勢し、よって噴射軸３の両側のチャンバーの容積を変更し、一側のチャンバーに継続して媒体をポンピングさせると同時に、他の一側のチャンバーに媒体を吸い込ませ、同時に制御装置は噴射軸３およびスクリュー７のストロークの累積を開始する。
【００６４】
（６）噴射軸３がスクリューモータ８から離れるように付勢され、所定のストロークに達した場合、制御装置はスクリューモータ８を停止させ、その後、ステアリングモータ１１の運転を起動し、リセット方向に再度停止させ、このように往復を繰り返し、ステアリング装置によりステアリング動作を実行する際に短時間停止する以外、該シングルチューブダブルチャンバー噴射ポンプ機構は持続的に媒体をポンピングすることができる。
【符号の説明】
【００６５】
１  ハウジング、
１−１  軸スリーブ媒体入口端、
１−２  軸スリーブ媒体出口端、
２  ポンプ本体軸スリーブ、
３  噴射軸、
３−１  噴射軸凹溝、
３−２  噴射軸凹溝、
４  密封バッフル、
５  シールリング、
６  密封装置、
７  スクリュー、
８  スクリューモータ、
１０  クラッチブラケット、
１１  ステアリングモータ、
１３  伝動装置、
９１  クラッチディスク、
９２  第１電磁クラッチ部材、
９３  第２電磁クラッチ部材、
９４  センサ遮蔽シート、
１０１  スクリューセンサ、
１０２  ステアリングセンサ、
１３１  伝動ブラケット、
１３２  第１ギア、
１３３  第２ギア、
１４１  第１フォトカプラセンサ、
１４２  第２フォトカプラセンサ、
１４３  フォトカプラ遮蔽盤。
【図１】
2019504235.tif 000003
【図２】
2019504235.tif 000004
【図３】
2019504235.tif 000005
【図４】
2019504235.tif 000006
【図５】
2019504235.tif 000007
【図６】
2019504235.tif 000008
【図７】
2019504235.tif 000009
【図８】
2019504235.tif 000010
【図９】
2019504235.tif 000011
【図１０】
2019504235.tif 000012
【図１１】
2019504235.tif 000013
【図１２】
2019504235.tif 000014
【図１３】
2019504235.tif 000015
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
シングルチューブダブルチャンバー噴射ポンプ、スクリューモータ、クラッチ装置、検知装置および制御装置を含み、
前記シングルチューブダブルチャンバー噴射ポンプは、ポンプ本体軸スリーブ、噴射軸、ハウジングおよび密封装置を含み、
ポンプ本体軸スリーブには軸スリーブ媒体の入口端および軸スリーブ媒体の出口端が開設されており、噴射軸の外側壁には二つの細長い凹溝が開設されており、二つの凹溝の一端はいずれも封止されており、他端はいずれも開放されており、かつ開放端はそれぞれ噴射軸の両端と端面が同じ面に位置しており、
噴射軸はポンプ本体軸スリーブ内に設けられており、ポンプ本体軸スリーブの一端は密封装置に密封接続されており、
噴射軸の一つの端面、ポンプ本体軸スリーブの内側壁および密封装置は第１チャンバーを構成しており、噴射軸の他の一つの端面、ポンプ本体軸スリーブの内側壁およびハウジングにおける円筒孔の内部底面は第２チャンバーを構成しており、噴射軸の外円はポンプ本体軸スリーブの内円に密着されており、よって第１チャンバーと第２チャンバーとを仕切っており、
噴射軸はポンプ本体軸スリーブ内で軸方向に沿って前後移動可能であり、それにより二つのチャンバーの容積を変えており、
スクリューモータはスクリューにより両側においてシングルチューブダブルチャンバー噴射ポンプおよびクラッチ装置にそれぞれ接続されており、クラッチ装置はクラッチディスクおよびクラッチディスクの両側に対向するように設置された第１電磁クラッチ部材、第２電磁クラッチ部材を含み、二つの電磁クラッチ部材はそれぞれケーブルを介して制御装置に接続されており、電磁クラッチ部材は通電された後にクラッチディスクを吸着することができ、二つの電磁クラッチ部材はクラッチブラケットにより装着されるように固定されており、かつスクリューモータに固着されており、
スクリューモータに近接する一側の第１電磁クラッチ部材の中心には回転子が設けられており、回転子とスクリューモータの回転子は装着されるように接続されて回転対偶を形成しており、モータ回転子が回転する際に電磁クラッチ部材における回転子と連動して同期回転しており、
検知装置はスクリューセンサおよびステアリングセンサを含み、二つのセンサはそれぞれケーブルを介して制御装置に接続されており、かつ信号を伝送しており、スクリューセンサは第２電磁クラッチ部材の外側のクラッチブラケットに設けられており、スクリューの位置信号をトリガしており、
ステアリングセンサはクラッチディスクの下方のクラッチブラケットに設けられており、スクリューの中央部は片側フラットワイヤ状を呈しており、クラッチディスクの層間に挿入されたセンサ遮蔽シートの直線底辺はスクリューのフラットワイヤ状平面にマッチしており、クラッチディスクおよびスクリューに回転対偶を構成させており、クラッチディスクがスクリューを回って回転する際にスクリューを同期して回転移動するように駆動しており、センサ遮蔽シートはステアリングセンサに嵌合され回転位置信号をトリガしている、
ことを特徴とするシングルチューブダブルチャンバー噴射ポンプ機構。
【請求項２】
前記センサ遮蔽シートは半円形であり、その半径はクラッチディスクの半径よりも大きく、クラッチディスクの外径より突出した部分はステアリングセンサを遮蔽することで信号をトリガすることができる、ことを特徴とする請求項１に記載の噴射ポンプ機構。
【請求項３】
前記センサ遮蔽シートの径方向における底辺はそれぞれクラッチディスクの外径の両側に設置されており、ステアリングセンサ二２つの信号トリガーポイントとなり、二つの信号トリガーポイントは互いに１８０°離れた回転角の関係を呈している、ことを特徴とする請求項２に記載の噴射ポンプ機構。
【請求項４】
（１）シングルチューブダブルチャンバー噴射ポンプのハウジングにおける入口および出口はいずれも外付けの媒体入力装置および媒体出力装置に密封接続されるステップと、
（２）制御装置はクラッチ装置、スクリューモータおよび検知装置を制御して、噴射ポンプをリセット方向に配置し、リセット方向は、第１チャンバーが噴射軸の一側の凹溝を介してポンプ本体軸スリーブの媒体の出口端と連通し、同時に第２チャンバーが噴射軸の他の一側の凹溝を介してポンプ本体軸スリーブの媒体の入口端と連通し、噴射軸の二つの凹溝はそれぞれポンプ本体軸スリーブの媒体の入口端および媒体の出口端に面するステップと、
（３）コントローラはクラッチ装置によりスクリューの軸方向における回転自由度をロックし、かつスクリューモータによりスクリューおよび噴射軸をスクリューモータの方向へ移動するように駆動し、第１チャンバーの容積が小さくなり、チャンバー内の媒体は噴射軸の凹溝を介してポンピングされ、同時に第２チャンバーの容積が大きくなり、媒体は該側の噴射軸の凹溝を介してチャンバーに吸い込まれるステップと、
（４）スクリューモータにより噴射軸を移動して密封装置の端面に接近するように駆動する場合、スクリューの末端はスクリューセンサをトリガし、制御装置はクラッチ装置、スクリューモータおよびステアリングセンサを制御することによりスクリューおよび噴射軸を軸方向を回って１８０°回転させ、噴射軸の両側の凹溝位置を交換させ、媒体が充填されたチャンバーはポンプ本体軸スリーブの媒体の出口端と連通し、元のポンプ本体軸スリーブの媒体の出口端と連通するチャンバーはポンプ本体軸スリーブの媒体の入口端と連通するように変換されるステップと、
（５）制御装置はクラッチ装置によりスクリューの軸方向における回転自由度を再度ロックし、スクリューモータの逆方向への運転により、スクリューおよび噴射軸をスクリューモータの方向から離れるように付勢し、よって噴射軸の両側のチャンバーの容積を変更させ、一側のチャンバーに継続して媒体をポンピングさせると同時に、他の一側のチャンバーに媒体を吸い込ませるステップと、
（６）噴射軸がスクリューモータから分離され、所定のストロークに達した場合、制御装置はクラッチ装置、スクリューモータおよび検知装置を制御して噴射ポンプをリセット方向に設置し、操作が終了するまでこのように繰り返すステップと、
を含む、ことを特徴とする請求項１〜３のいずれか一項に記載の噴射ポンプ機構の操作方法。
【請求項５】
シングルチューブダブルチャンバー噴射ポンプ、ステアリングモータ、スクリューモータ、伝動装置、検知装置および制御装置を含み、
前記シングルチューブダブルチャンバー噴射ポンプは、ポンプ本体軸スリーブ、噴射軸、ハウジング、および密封装置を含み、
ポンプ本体軸スリーブには軸スリーブ媒体の入口端および軸スリーブ媒体の出口端が開設されており、噴射軸の外側壁には二つの細長い凹溝が開設されており、２つの凹溝の一端はいずれも封止されており、他端はいずれも開放されており、かつ開放端はそれぞれ噴射軸の両端と端面が同じ面に位置しており、
噴射軸はポンプ本体軸スリーブ内に設けられており、ポンプ本体軸スリーブの一端は密封装置に密封接続されており、
噴射軸の一つの端面、ポンプ本体軸スリーブの内側壁および密封装置は第１チャンバーを構成しており、噴射軸の他の一つの端面、ポンプ本体軸スリーブの内側壁およびハウジングにおける円筒孔の内部底面は第２チャンバーを構成しており、噴射軸の外円はポンプ本体軸スリーブの内円に密着されており、よって第１チャンバーと第２チャンバーとを仕切っており、
噴射軸はポンプ本体軸スリーブ内で軸方向に沿って前後移動可能であり、それにより２つのチャンバーの容積を変えており、
スクリューモータは制御装置に接続され、伝動装置は伝動ブラケット、第１ギアおよび第２ギアを含み、二つのギアは伝動ブラケット内に設置され、かつ互いに噛合されており、
シングルチューブダブルチャンバー噴射ポンプはスクリューモータにより伝動装置における第１ギアに接続されており、スクリューはスクリューモータの作用のもとで軸方向に移動可能であり、
ステアリングモータの出力軸は第２ギアに接続されており、第２ギアは第１ギアと連動しており、第１ギアは径方向にスクリューと連動しており、
伝動ブラケットには検知装置が設置されており、検知装置は伸縮検知ユニットおよびステアリング検知ユニットを含み、
伸縮検知ユニットは第１フォトカプラセンサであり、スクリューの軸方向に沿って移動する位置を検知するのに用いられ、
ステアリング検知ユニットはフォトカプラ遮蔽盤および第２フォトカプラセンサを含み、第２ギアの外側に設けられており、
ステアリングモータ、スクリューモータ、第１フォトカプラセンサおよび第２フォトカプラセンサは制御装置に接続されており、制御装置はステアリングモータおよびスクリューモータの移動を制御する、
ことを特徴とするシングルチューブダブルチャンバー噴射ポンプ機構。
【請求項６】
前記フォトカプラ遮蔽盤は半円形であり、フォトカプラ遮蔽盤の二つの径方向における直辺は第２フォトカプラセンサの二つの信号トリガーポイントとしてステアリングモータの回転角度を制御するのに用いられる、ことを特徴とする請求項５に記載の噴射ポンプ機構。
【請求項７】
前記シングルチューブダブルチャンバー噴射ポンプのスクリューは、スクリューモータおよび第１ギアを貫通し、第１ギアおよびスクリューは回転対偶を構成している、ことを特徴とする請求項５に記載の噴射ポンプ機構。
【請求項８】
（１）シングルチューブダブルチャンバー噴射ポンプのハウジングにおける入口および出口がいずれも外付けの媒体入力装置および媒体出力装置に密封接続されているステップと、
（２）制御装置はステアリング装置を動作するように起動し、かつリセット方向に停止させ、停止位置はステアリング検知ユニットのフォトカプラ遮蔽盤の径方向における直辺が第２フォトカプラセンサをトリガすることにより位置決めされ、リセット方向は、第１チャンバーが噴射軸の一側の凹溝を介してポンプ本体軸スリーブの媒体の出口端と連通し、同時に第２チャンバーが噴射軸の他の一側の凹溝を介してポンプ本体軸スリーブの媒体の入口端と連通し、噴射軸の二つの凹溝はそれぞれポンプ本体軸スリーブの媒体の入口端および媒体の出口端に面する状態であるステップと、
（３）制御装置はスクリューモータを起動してスクリューを駆動させ、スクリューは噴射軸と連動することにより噴射軸をスクリューモータ方向に移動させ、第１チャンバーの容積が小さくなり、チャンバー内に媒体をポンピングさせると同時に、第２チャンバーの容積を大きくし、媒体はチャンバーに吸い込まれ、スクリューモータが噴射軸を密封装置の端面まで走行するように駆動した場合、スクリューの末端は第１フォトカプラセンサをトリガし、制御装置はスクリューモータが動作を停止するように制御するステップと、
（４）制御装置はステアリングモータの運転を起動することにより連動されている第２ギアを回転させ、第２ギアに連動されて第１ギアが回転し、第１ギアに連動されてスクリューが回転し、スクリューは噴射軸と連動してリセット方向と１８０度の角度を成す方向に回転し、この際、フォトカプラ遮蔽盤の他の一つの径方向における直辺は第２フォトカプラセンサをトリガすることによって位置決めし、噴射軸の両側の凹溝位置を交換させ、媒体が充填されたチャンバーはポンプ本体軸スリーブの媒体の出口端と連通し、元のポンプ本体軸スリーブの媒体の出口端と連通するチャンバーはポンプ本体軸スリーブの媒体の入口端と連通するように変換されるステップと、
（５）制御装置はスクリューモータを起動して逆方向に運転させ、噴射軸をスクリューモータ方向から離れるように付勢し、一側のチャンバーに継続して媒体をポンピングさせると同時に、他の一側のチャンバーに媒体を吸い込ませるステップと、
（６）噴射軸がスクリューモータから離れるように付勢され所定のストロークに達した場合、制御装置はスクリューモータが動作を停止するように制御し、その後、ステアリング装置の運転を起動し、かつリセット方向に停止させ、操作が終了するまでこのように繰り返すステップと、
を含む、ことを特徴とする請求項５〜７に記載の噴射ポンプ機構の操作方法。
【国際調査報告】
2019504235.tif 000016
2019504235.tif 000017
2019504235.tif 000018
2019504235.tif 000019
2019504235.tif 000020
2019504235.tif 000021